(57)【要約】【課題】外国人についてタクシー乗車の抵抗感を軽減することが可能なタクシーメータの外部操作表示器及びタクシーメータシステムを提供する。【解決手段】乗客により指定された行先までの走行距離、及び、賃走状態における停車時間に応じて、料金を演算のうえ表示するタクシーメータ１０に接続されるタクシーメータ１０の外部操作表示器２０であって、乗客により操作可能な位置、且つ、乗客により視認可能な位置に設けられた操作表示機２１と、乗客による操作表示機２１への操作により、予め定められた特定の言語である特定言語と異なる１以上の他言語のうち１つを選択し、選択された選択言語にて、行先の候補となる複数の行先候補Ｂ２を表示し、乗客による操作表示機２１への操作により、表示された複数の行先候補Ｂ２のいずれか１つが指定された場合、指定された行先候補Ｂ２が示す行先を特定言語にてタクシー運転手に伝達するための伝達情報を生成する。【選択図】図１
2015087865.tif 000002
【特許請求の範囲】
【請求項１】
乗客により指定された行先までの走行距離、及び、賃走状態における停車時間に応じて、料金を演算のうえ表示するタクシーメータに接続されるタクシーメータの外部操作表示器であって、
乗客により操作可能な位置に設けられた操作手段と、
乗客による前記操作手段への操作により、予め定められた特定の言語である特定言語と異なる１以上の他言語のうち１つを選択する言語選択手段と、
乗客により視認可能な位置に設けられ、前記言語選択手段により選択された選択言語にて、行先の候補となる複数の行先候補を表示する表示手段と、
乗客による前記操作手段への操作により、前記表示手段に表示された前記複数の行先候補のいずれか１つが指定された場合、指定された行先候補が示す行先を前記特定言語にてタクシー運転手に伝達するための伝達情報を生成する伝達情報生成手段と、
を備えることを特徴とするタクシーメータの外部操作表示器。
【請求項２】
前記表示手段は、乗客による前記操作手段への操作により、前記表示手段に表示された前記複数の行先候補のいずれか１つが指定された場合、前記伝達情報生成手段による伝達情報の生成に先立って、指定された行先候補が示す行先までの到着に要すると予測される予測料金及び予測時間の少なくとも一方を前記選択言語にて表示する
ことを特徴とする請求項１に記載のタクシーメータの外部操作表示器。
【請求項３】
前記表示手段は、指定された行先候補が示す行先に到着した場合、到着した旨と支払うべき料金とを前記選択言語にて表示する
ことを特徴とする請求項１又は請求項２のいずれかに記載のタクシーメータの外部操作表示器。
【請求項４】
乗客により指定された行先までの走行距離、及び、賃走状態における停車時間に応じて、料金を演算のうえ表示するタクシーメータと、
請求項１から請求項３のいずれか１項に記載のタクシーメータの外部操作表示器と、
タクシーの営業状態を示す文字情報を車外に向けて表示するウィンドサインと、を備え、
前記ウィンドサインは、乗客が乗車しておらず乗客を乗車させることが可能であることを示す空車状態において、前記空車状態であることを示す文字情報を、前記特定言語と前記他言語の少なくとも１つとの間で切替表示する
ことを特徴とするタクシーメータシステム。
【請求項５】
前記伝達情報生成手段は、前記表示手段に表示された前記複数の行先候補のいずれか１つが指定された場合、指定された行先候補が示す行先の情報を前記タクシーメータに送信すべく伝達情報を生成し、
前記タクシーメータは、生成された伝達情報を受信して行先の情報を前記特定言語にて自己の表示部に表示させる
ことを特徴とする請求項４に記載のタクシーメータシステム。
【発明の詳細な説明】
【技術分野】
【０００１】
本発明は、タクシーメータの外部操作表示器及びタクシーメータシステムに関する。
【背景技術】
【０００２】
従来、タクシー車両の賃走時における走行距離と賃走時間とに基づいて運賃を計算するタクシーメータが知られている。また、タクシーメータには、通常後部座席に搭乗する乗客が操作するための乗客操作器を備えるものも提案されている（例えば特許文献１参照）。このタクシーメータでは、乗客が乗客操作器を操作することにより、運賃の加算を停止させることができるため、タクシー運転手が目的地に近づいた段階で、故意に目的地をやや通り過ぎる走行を行うことを防止でき、乗客の心理的負担を軽減することができる。
【先行技術文献】
【特許文献】
【０００３】
【特許文献１】特開２０１０−２６２３４８号公報
【発明の概要】
【発明が解決しようとする課題】
【０００４】
ここで、特許文献１に係るタクシーメータを含む既存のタクシーメータは、その国の公用語（例えば日本では日本語、アメリカでは英語）で表示を行うものである。このため、外国人観光客や外国人ビジネスマン等の外国人は、タクシーメータの表示内容が何であるのかを理解することができず、且つ、タクシー運転手に対して行先を伝える場合にタクシー運転手の外国語スキルに頼ることとなってしまう。故に、外国人とっては、タクシーに乗り目的地まで到着することが容易ではなく、タクシー乗車に抵抗があるものであった。
【０００５】
本発明はこのような従来の課題を解決するためになされたものであり、その目的とするところは、外国人についてタクシー乗車の抵抗感を軽減することが可能なタクシーメータの外部操作表示器及びタクシーメータシステムを提供することにある。
【課題を解決するための手段】
【０００６】
本発明のタクシーメータの外部操作表示器は、乗客により指定された行先までの走行距離、及び、賃走状態における停車時間に応じて、料金を演算のうえ表示するタクシーメータに接続されるタクシーメータの外部操作表示器であって、乗客により操作可能な位置に設けられた操作手段と、乗客による前記操作手段への操作により、予め定められた特定の言語である特定言語と異なる１以上の他言語のうち１つを選択する言語選択手段と、乗客により視認可能な位置に設けられ、前記言語選択手段により選択された選択言語にて、行先の候補となる複数の行先候補を表示する表示手段と、乗客による前記操作手段への操作により、前記表示手段に表示された前記複数の行先候補のいずれか１つが指定された場合、指定された行先候補が示す行先を前記特定言語にてタクシー運転手に伝達するための伝達情報を生成する伝達情報生成手段と、を備えることを特徴とする。
【０００７】
本発明のタクシーメータの外部操作表示器によれば、乗客により言語を選択可能であるため、外国人は自己の公用語等を選択することが可能となる。また、選択言語にて複数の行先候補を表示するため、外国人は、行先候補の選択によりタクシー運転者との会話を要することなく、簡易に行先を指定することができる。さらに、指定された行先候補が示す行先を特定言語にてタクシー運転手に伝達するための伝達情報を生成することから、タクシー運転手は特定言語にて行先を知得することができる。よって、これらにより、外国人にとってタクシー運転手に行先を伝える困難性を軽減でき、外国人についてタクシー乗車の抵抗感を軽減することができる。
【０００８】
このタクシーメータの外部操作表示器において、前記表示手段は、乗客による前記操作手段への操作により、前記表示手段に表示された前記複数の行先候補のいずれか１つが指定された場合、前記伝達情報生成手段による伝達情報の生成に先立って、指定された行先候補が示す行先までの到着に要すると予測される予測料金及び予測時間の少なくとも一方を前記選択言語にて表示することが好ましい。
【０００９】
このタクシーメータの外部操作表示器によれば、複数の行先候補のいずれか１つが指定された場合、伝達情報の生成に先立って、到着に要すると予測される予測料金及び予測時間の少なくとも一方を選択言語にて表示する。このため、外国人は、到着に多大な料金を必要とするのか、多大な時間を要するのかを知ることができ、多大な場合には、タクシー乗車をあきらめるなどの選択が可能となる。加えて、予測料金を表示する場合には、予め表示される予測料金によって、タクシー運賃の過剰請求による不安感を抑えることができる。従って、一層タクシー乗車の抵抗感を軽減することができる。
【００１０】
このタクシーメータの外部操作表示器において、前記表示手段は、指定された行先候補が示す行先に到着した場合、到着した旨と支払うべき料金とを前記選択言語にて表示することが好ましい。
【００１１】
このタクシーメータの外部操作表示器によれば、指定された行先候補が示す行先に到着した場合、到着した旨と支払うべき料金とを選択言語にて表示するため、乗車時だけでなく、降車時においてもタクシー運転者との会話を要することなく、スムーズな降車に寄与することができる。
【００１２】
また、本発明のタクシーメータシステムは、乗客により指定された行先までの走行距離、及び、賃走状態における停車時間に応じて、料金を演算のうえ表示するタクシーメータと、上記に記載のタクシーメータの外部操作表示器と、タクシーの営業状態を示す文字情報を車外に向けて表示するウィンドサインと、を備え、前記ウィンドサインは、乗客が乗車しておらず乗客を乗車させることが可能であることを示す空車状態において、前記空車状態であることを示す文字情報を、前記特定言語と前記他言語の少なくとも１つとの間で切替表示することを特徴とする。
【００１３】
本発明のタクシーメータシステムによれば、ウィンドサインは、空車状態であることを示す文字情報を、特定言語と他言語の少なくとも１つとの間で切替表示するため、外国人は、自己の公用語等が他言語として表示されているときに、タクシーが空車状態であることを知ることができる。これにより、より一層タクシー乗車の抵抗感を軽減することができる。
【００１４】
このタクシーメータシステムにおいて、前記伝達情報生成手段は、前記表示手段に表示された前記複数の行先候補のいずれか１つが指定された場合、指定された行先候補が示す行先の情報を前記タクシーメータに送信すべく伝達情報を生成し、前記タクシーメータは、生成された伝達情報を受信して行先の情報を前記特定言語にて自己の表示部に表示させることが好ましい。
【００１５】
このタクシーメータシステムによれば、タクシーメータは伝達情報を受信して行先の情報を特定言語にて自己の表示部に表示させるため、タクシー運転手は表示部を参照することにより行先の情報を知得でき、タクシーメータの外部操作表示器から音声により行先を伝達する場合と比較して、タクシー運転手の外国人の搭乗による緊張状態により行先を聞き逃してしまうなど、行先が不明となってしまう事態を防止することができる。
【発明の効果】
【００１６】
本発明によれば、外国人に対してタクシー乗車の抵抗感を軽減することができる。
【図面の簡単な説明】
【００１７】
【図１】本発明の実施形態に係るタクシーメータシステムを示す外観構成図である。
【図２】本発明の実施形態に係るタクシーメータシステムを示すハードブロック図である。
【図３】図２に示した外部操作表示部の演算部の詳細を示す機能ブロック図である。
【図４】図３に示した表示制御部による表示内容を示す第１の図であって、（ａ）は初期画像を示し、（ｂ）は選択言語初期画像を示し、（ｃ）は行先候補を示し、（ｄ）は確認画像を示している。
【図５】図３に示した表示制御部による表示内容を示す第２の図であり、（ａ）は第１の賃走中画像を示し、（ｂ）は第２の賃走中画像を示し、（ｃ）は支払画像を示している。
【図６】演算部によるウィンドサインの表示制御を示すフローチャートである。
【図７】切替表示の各種例を示す図である。
【図８】外部操作表示器の制御を示すフローチャートであり、前半処理を示している。
【図９】外部操作表示器の制御を示すフローチャートであり、後半処理を示している。
【図１０】図８及び図９に示す処理時におけるタクシーメータの表示部の表示状態を示す図である。
【発明を実施するための形態】
【００１８】
以下、本発明の好適な実施形態を図面に基づいて説明する。なお、本発明は以下に示す実施形態に限られるものではない。
【００１９】
図１は、本発明の実施形態に係るタクシーメータシステムを示す外観構成図であり、図２は、本発明の実施形態に係るタクシーメータシステムを示すハードブロック図である。図１及び図２に示すように、タクシーメータシステム１は、タクシーメータ１０と、外部操作表示器２０と、ウィンドサイン３０と、プリンタ４０とから構成され、これらがＩ／Ｆを介して接続されている。
【００２０】
タクシーメータ１０は、乗客により指定された行先までの走行距離、及び賃走状態（迎車待状態を含む）における停車時間に応じて、料金を演算のうえ表示するものである。このようなタクシーメータ１０は、操作部１１と、表示部１２とを備えている。
【００２１】
操作部１１は、図１に示すように、空車、実車、合計、迎車、迎車待、３割増、高速、支払など、タリフ状態の変更操作用の各種操作ボタンから構成されている。例えば、操作部１１において実車ボタン１１ａが押下されるとタリフ状態が「実車」となり、合計ボタン１１ｂが押下されるとタリフ状態が「支払」となり、空車ボタン１１ｃが押下されるとタリフ状態が「空車」となる。なお、タリフ状態が、「実車（３割増、高速含む）」のとき、乗客を輸送する営業走行（即ち、賃走）を行う状態にあり、これらタリフ状態が、実車状態に相当する。また、タリフ状態が「実車」から「支払」に移行すると、賃走は終了する。
【００２２】
表示部１２は、例えば、料金表示エリア１２ａ、タリフ状態表示エリア１２ｂを有している。そして、料金表示エリア１２ａ、及びタリフ状態表示エリア１２ｂの各表示内容は、タクシー料金の変化、タリフ状態の変化等に応じて更新される。
【００２３】
さらに、タクシーメータ１０は、図２に示すように、演算部１３と、時間計測部１４と、車両情報格納部１５と、記憶部１６と、設定値データ格納部１７と、メモリーカード挿入部１８と、ブザー部１９とを備えている。
【００２４】
演算部１３は、タクシーメータ１０の全体を制御するＣＰＵ（Central Processing Unit）であって、各部１１〜１９に接続されている。例えば、この演算部１３は、操作部１１が操作されてタリフ状態が変更した場合、その変更に応じて表示部１２の表示内容を変更する制御を実行する。また、タリフ状態が変更した場合、演算部１３は、その情報をシステムデータとして、外部操作表示器２０、及びプリンタ４０に送信する。また、演算部１３は、ウィンドサイン３０をアナログ信号（ＯＮ／ＯＦＦ）制御する。
【００２５】
時間計測部１４は、賃走状態（迎車待状態を含む）における停車時間を計時する機能と、現在時刻を把握する機能とを備えている。車両情報格納部１５は、タクシーの賃走状態における走行距離及び上記停車時間、並びに車両速度などの情報を一時記憶するものであって、ＲＡＭ（Random Access Memory）によって構成されている。走行距離の情報は不図示の車速センサからの信号に基づいて更新され、停車時間の情報は時間計測部１３による計時に基づいて構成される。
【００２６】
演算部１３は、この車両情報格納部１５に格納される情報に従って、料金演算を行うこととなる。また、演算部１３は、料金演算の結果、料金加算（爾後あがり）の必要がある場合、加算後の料金を表示部１２に表示させるべく、表示内容を変更する制御を実行する。さらに、演算部１３は、その情報をシステムデータとして、外部操作表示器２０、及びプリンタ４０に送信する。
【００２７】
記憶部１６は、プログラム格納部１６ａと、地図情報格納部１６ｂとを備え、例えばＲＯＭ（Read Only Memory）によって構成されている。プログラム格納部１６ａは、表示部制御プログラムや、料金演算プログラムなどの各種プログラムを記憶する部位である。地図情報格納部１６ｂは、不図示のナビゲーション部に用いられる地図データを記憶する部位である。なお、図示を省略しているが、本実施形態においてタクシーメータ１０は、ＧＰＳ（Global Positioning System）受信部についても備えている。
【００２８】
設定値データ格納部１７は、初乗り運賃、何ｋｍ走行で何円加算するか、何分停車で何円加算するかなどの設定値を有した料金テーブルを格納した記憶部であり、ＥＥＰＲＯＭ（Electrically Erasable Programmable Read Only Memory）により構成されている。メモリーカード挿入部１８は、タクシーメータ１０がデジタルタコグラフ機能を有している場合に設けられるものであって、メモリーカードが挿入されることにより演算部１３が必要情報をメモリーカードに記憶させる。ブザー部１９は、制限速度超過時における速度警報や、連続運転時間の超過時における連続運転警報等を発するものである。また、ブザー部１９は、操作部１１のボタンを押下したときの押下音（例えば「ピッ」）を出力する機能も有している。
【００２９】
外部操作表示器２０は、図１及び図２に示すように、操作表示部（操作手段、表示手段）２１を備えている。この操作表示部２１は、液晶パネルなどの表示装置とタッチパッドなどの位置入力装置を組み合わせたものであって、後部座席に搭乗する乗客により操作可能で、且つ、視認可能な位置（例えば運転席ヘッドレスト裏面）に設けられものである。
【００３０】
また、操作表示部２１の表示エリアは、図１に示すように、タクシー情報表示エリア２１ａと、地図表示エリア２１ｂと、広告表示エリア２１ｃとから構成されている。タクシー情報表示エリア２１ａは乗客に対するアナウンス情報が表示されるエリアであり、地図表示エリア２１ｂはタクシー位置を中心とした周囲地図が表示されるエリアであり、広告表示エリア２１ｃは各種広告情報が表示されるエリアである。
【００３１】
さらに、外部操作表示器２０は、図２に示すように、演算部２２と、コントローラ２３と、メモリ２４と、スピーカ２５とを備えている。演算部２２は、外部操作表示器２０の全体を制御するＣＰＵであって、各部２１〜２５に接続されている。
【００３２】
コントローラ２３は、演算部２２と操作表示部２１との間に介在し、演算部２２から指令に応じて操作表示部２１の表示内容を変更する表示ドライバとしての機能を果たすものである。また、このコントローラ２３は、操作表示部２１への操作内容に応じた指令を演算部２２に送信する操作ドライバとしての機能も果たす。
【００３３】
メモリ２４は各種設定値や広告情報を記憶した記憶部である。なお、地図表示エリア２１ｂにおける地図情報はタクシーメータ１０の地図情報格納部１６ｂから読み出されて表示されることとなる。スピーカ２５は、タクシー情報表示エリア２１ａに表示されるアナウンス情報や、広告表示エリア２１ｃに表示される各種広告情報等を音声出力するものである。
【００３４】
ウィンドサイン３０は、タクシーの営業状態を示す文字情報を車外に向けて表示するものであり、タリフ状態に応じた文字表示を行う。例えば、ウィンドサイン３０は、現在が空車状態である場合に「空車」と表示し、迎車状態である場合に「迎車」と表示する。他の支払、貸切、予約状態等についても同様である。このようなウィンドサイン３０は、タクシーメータ１０の演算部１３によるアナログ信号制御によって、その表示内容を変更することとなる。
【００３５】
プリンタ４０は、領収書やクレジットカード使用時におけるサイン伝票等を印刷出力するものである。このプリンタ４０は、賃走状態など、料金支払タイミングでない場合、印刷出力を禁止する設定となっており、タクシーメータ１０からのシステムデータに応じて印刷出力を許可したり禁止したりする構成となっている。
【００３６】
ここで、既存のタクシーメータは、その国の公用語（例えば日本では日本語、アメリカでは英語）で表示を行うものが一般的である。このため、外国人観光客や外国人ビジネスマン等の外国人は、タクシーメータの表示内容が何であるのかを理解することができず、且つ、タクシー運転手に対して行先を伝える場合にタクシー運転手の外国語スキルに頼ることとなってしまう。故に、外国人とっては、タクシーに乗り目的地まで到着することが容易ではなく、タクシー乗車に抵抗があるものであった。
【００３７】
そこで、本実施形態に係るタクシーメータ１０の外部操作表示部２０は、演算部２２に以下の構成を備えている。図３は、図２に示した外部操作表示部２０の演算部２２の詳細を示す機能ブロック図である。
【００３８】
図３に示すように、演算部２２は、表示制御部２２ａと、言語選択部（言語選択手段）２２ｂと、伝達情報生成部（伝達情報生成手段）２２ｃとを備えている。表示制御部２２ａは、操作表示部２１に表示させる表示内容を制御するものである。
【００３９】
図４及び図５は、図３に示した表示制御部２２ａによる表示内容を示す図である。図４（ａ）に示すように、表示制御部２２ａは、コントローラ２３を通じて、特定言語、及び特定言語と異なる少なくとも１つの他言語を選択可能な選択画像を操作表示部２１に表示させる。より詳細に、図４（ａ）に示す例において表示制御部２２ａは、日本語を特定言語として選択可能に表示し、英語、韓国語、フランス語、ロシア語等の９つの他言語を選択可能に表示する。
【００４０】
このような表示状態において乗客が言語表示箇所をタッチすると、その情報が演算部２２に送信され、演算部２２の言語選択部２２ｂはタッチされた言語を選択することとなる。言語選択部２２ｂにより言語が選択されると、外部操作表示器２０は、その言語にて表示及びアナウンス等を行うこととなる。
【００４１】
なお、国によっては、公用語が複数存在するものもある。このため、例えば乗客が中国語の表示箇所をタッチすると、さらに画像が切り替わって、上海語、北京語等が選択可能に表示されてもよい。
【００４２】
また、図４（ａ）では、言語を選択させる画像として、「Ｃｈｉｎａ」「Ｒｕｓｓｉａ」「Ｆｒａｎｃｅ」等の国名を表示しているが、これに限らず、「Ｃｈｉｎｅｓｅ」「Ｒｕｓｓｉａｎ」「Ｆｒｅｎｃｈ」といった言語名を表示しても良い。また、「Ｃｈｉｎａ」「Ｒｕｓｓｉａ」「Ｆｒａｎｃｅ」等の国名は英語にて表示されているが、これに限らず、他の言語にて表示されていてもよい。
【００４３】
以上のように言語が選択されると、表示制御部２２ａは、図４（ｂ）に示す画像を表示させる。すなわち、英語が選択されると、表示制御部２２ａは、選択言語である英語によって、タクシー情報表示エリア２１ａに各種表示を行う。具体的には、「Welcome. Which is a destination? 」（「ようこそ。目的地はどちらですか？」）と表示させると共に、リストボタンＢ１を表示させる。このリストボタンＢ１内の「Ｌｉｓｔ」という文字についても選択言語である英語によって表示される。さらに演算部２２は、スピーカ２５から「Welcome. Which is a destination? 」という選択言語の音声を出力させる。
【００４４】
また、リストボタンＢ１が操作されると、表示制御部２２ａは、図４（ｃ）に示す画像を表示させる。すなわち、操作表示部２１は、表示制御部２２ａの制御によって、地図表示エリア２１ｂと広告表示エリア２１ｃとに、選択言語にて、行先の候補となる複数の行先候補Ｂ２を表示する。具体的に表示制御部２２ａは、４つの行先候補Ｂ２と、ネクストボタンＢ３とを表示させる。このネクストボタンＢ３内の「Ｎｅｘｔ」という文字についても選択言語である英語によって表示される。
【００４５】
また、表示制御部２２ａは、選択言語である英語によって、タクシー情報表示エリア２１ａに「Please choose a destination from a list.」（「リストから目的地を選択して下さい。」）と表示させる。さらに演算部２２は、スピーカ２５から「Please choose a destination from a list.」という選択言語の音声を出力させる。
【００４６】
ネクストボタンＢ３が指定されると、表示制御部２２ａは、新たな複数の行先候補Ｂ２を表示させることとなる。一方、複数の行先候補Ｂ２のうちいずれか１つが指定されると、伝達情報生成部２２ｃは、指定された行先候補Ｂ２が示す行先の情報を特定言語である日本語でタクシー運転手に伝達するための伝達情報を生成する。
【００４７】
詳細に伝達情報生成部２２ｃは、スピーカ２５にて音声出力するための音声情報を生成する。これにより、スピーカ２５から特定言語である日本語で行先の情報が音声出力され、タクシー運転手に行先の情報が伝達されることとなる。
【００４８】
加えて、本実施形態に係るタクシーメータ１０は、表示部１２に指定された行先候補Ｂ２が示す行先の情報を表示する機能を有している。このため、伝達情報生成部２２ｃは、操作表示部２１に表示された複数の行先候補Ｂ２のいずれか１つが指定された場合、指定された行先候補Ｂ２が示す行先の情報をタクシーメータ１０に送信すべく伝達情報（表示情報）を生成することなる。これにより、タクシーメータ１０は、生成された伝達情報を受信して行先の情報を特定言語である日本語にて自己の表示部１２に表示させることとなる。
【００４９】
さらに、本実施形態に係るタクシーメータ１０は、スピーカ５０を備え、指定された行先候補Ｂ２が示す行先の情報を音声出力する機能を備えている。このため、伝達情報生成部２２ｃは、操作表示部２１に表示された複数の行先候補Ｂ２のいずれか１つが指定された場合、指定された行先候補Ｂ２が示す行先の情報をタクシーメータ１０に送信すべく伝達情報（音声情報）を生成することなる。これにより、タクシーメータ１０は、生成された伝達情報を受信して行先の情報を特定言語である日本語にて音声出力することとなる。
【００５０】
さらに本実施形態では、複数の行先候補Ｂ２のうちいずれか１つが指定された場合において、表示制御部２２ａは、伝達情報生成部２２ｃによる伝達情報の生成に先だって、図４（ｄ）に示す画像を表示させる。すなわち、図４（ｄ）に示すように、操作表示部２１は、指定された行先候補Ｂ２が示す行先までの到着に要すると予測される予測料金及び予測時間を選択言語である英語にて表示する。
【００５１】
一例を挙げると、表示制御部２２ａは、選択言語である英語によって、広告表示エリア２１ｃに「The time required is about 20 minutes. A charge is - which is about 760 yen.」（「必要な時間は約20分です。料金は約760円です。」）と表示させると共に、ＯＫボタンＢ４及びＮＧボタンＢ５を表示させる。このＯＫボタンＢ４及びＮＧボタンＢ５内の「ＯＫ」「ＮＧ」という文字についても選択言語である英語によって表示される。
【００５２】
この状態においてＯＫボタンＢ４が操作されると、上記の伝達情報生成部２２ｃによる伝達情報の生成が行われ、ＮＧボタンＢ５が操作されると、図４（ｃ）に示す画像が表示される。
【００５３】
なお、図４（ｄ）に示す例では、予測料金及び予測時間の双方が表示されているが、これに限らず、いずれか一方のみを表示してもよい。
【００５４】
さらに、図４（ｄ）に示す例において、表示制御部２２ａは、選択言語である英語によって、タクシー情報表示エリア２１ａに「Is a destination all right here? Please push OK, if very well. Please push NG, if wrong.」（「行先はここで大丈夫ですか？よろしければ、ＯＫを押してください。間違った場合は、ＮＧを押してください。」）と表示させる。さらに演算部２２は、スピーカ２５から「Is a destination all right here? Please push OK, if very well. Please push NG, if wrong.」という選択言語の音声を出力させる。
【００５５】
伝達情報が生成されてタクシー運転手に行先が伝達された場合、タクシー運転手は操作部１１の賃走ボタンを押下することとなる。これにより、空車状態から賃走状態に遷移する。賃走状態に遷移すると、タクシーメータ１０の演算部１３はシステムデータを送信する。外部操作表示器２０はシステムデータを受信し、表示制御部２２ａは、図５（ａ）に示す画像を表示させる。すなわち、操作表示部２１は、選択言語である英語によって、タクシー情報表示エリア２１ａに「It is under run. The present charge is merely 660 yen.」（「走行中です。現在の料金は６６０円です。」）と表示させる。
【００５６】
その後、走行により料金加算が発生すると、タクシーメータ１０の演算部１３はシステムデータを送信する。外部操作表示器２０はシステムデータを受信し、表示制御部２２ａは、図５（ｂ）に示す画像を表示させる。すなわち、操作表示部２１は、選択言語である英語によって、タクシー情報表示エリア２１ａに「It is under run. The present charge is merely 760 yen.」（「走行中です。現在の料金は７６０円です。」）と表示させる。
【００５７】
次いで、行先候補Ｂ２が示す行先に到着すると、タクシー運転手は操作部１１の支払ボタンを押下することとなる。これにより、賃走状態から支払状態に遷移する。支払状態に遷移すると、タクシーメータ１０の演算部１３はシステムデータを送信する。外部操作表示器２０はシステムデータを受信し、表示制御部２２ａは、図５（ｃ）に示す画像を表示させる。
【００５８】
すなわち、操作表示部２１は、選択言語である英語によって、タクシー情報表示エリア２１ａに「Thank you for the entrainment. A charge is 760 yen.」（「ご乗車有難うございます。料金は７６０円です。」）と表示させる。さらに演算部２２は、スピーカ２５から「Thank you for the entrainment. A charge is 760 yen.」という選択言語の音声を出力させる。
【００５９】
なお、到着したか否かについて、タクシーメータ１０の演算部１３は、タクシー運転手が操作部１１の支払ボタンを押下したことによって判断する場合に限らず、ＧＰＳ受信部の信号と地図情報とから判断するようにしてもよい。
【００６０】
そして、支払完了後、タクシー運転手は操作部１１の空車ボタンを押下する。これにより、支払状態から空車状態に遷移する。賃走状態に遷移すると、タクシーメータ１０の演算部１３はシステムデータを送信する。外部操作表示器２０はシステムデータを受信し、表示制御部２２ａは、図４（ａ）に示す画像を表示させる。
【００６１】
次に、本実施形態に係るタクシーメータシステム１の動作をフローチャートを参照して説明する。図６は、演算部１３によるウィンドサイン３０の表示制御を示すフローチャートである。なお、図６では、特定言語である日本語と、他言語である英語との切替表示の例について説明する。
【００６２】
図６に示すように、まず演算部１３は、タクシーメータ１０のタリフ状態を確認する（Ｓ１）。次いで、演算部１３は、ステップＳ１にて確認されたタリフ状態に応じて、アナログ信号制御によりウィンドサイン３０に特定言語にて文字表示を行わせる（Ｓ２）。ここで、表示される文字は、特定言語が日本語である場合、「空車」「支払」「迎車」「貸切」「予約」等である。その後、演算部１３は、所定時間経過したかを判断する（Ｓ３）。所定時間経過していないと判断した場合（Ｓ３：ＮＯ）、処理はステップＳ２に移行する。
【００６３】
一方、所定時間経過したと判断した場合（Ｓ３：ＹＥＳ）、演算部１３は、ステップＳ１にて確認されたタリフ状態に応じて、アナログ信号制御によりウィンドサイン３０に他言語にて文字表示を行わせる（Ｓ４）。ここで、表示される文字は、他言語が英語である場合、「ＴＡＸＩ」「ＨＩＲＥＤ」「ＯＮ  ＣＡＬＬ」「ＣＨＡＲＴＥＲ」「ＲＥＳＥＲＶＥＤ」等である。なお、他言語は、英語である場合に限らず、韓国語、フランス語、ロシア語等であってもよい。
【００６４】
その後、演算部１３は、は、所定時間経過したかを判断する（Ｓ５）。所定時間経過していないと判断した場合（Ｓ５：ＮＯ）、処理はステップＳ４に移行する。一方、所定時間経過したと判断した場合（Ｓ５：ＹＥＳ）、処理はステップＳ１に移行する。
【００６５】
なお、図６に示す処理は車両電源がオフされると終了する。また、図６では特定言語と、１つの他言語とで切替表示を行っているが、これに限らず、特定言語と２以上の他言語とで切替表示を行うようにしてもよい。
【００６６】
図７は、切替表示の各種例を示す図である。図７（ａ）に示すように、空車状態である場合、空車状態であることを示す特定言語の「空車」と、他言語の「ＴＡＸＩ」とで切替表示させる。また、図７（ｂ）に示すように、賃走状態である場合、支払状態であることを示す特定言語の「支払」と、他言語の「ＨＩＲＥＤ」とで切替表示させる。
【００６７】
また、図７（ｃ）に示すように、迎車状態である場合、迎車状態であることを示す特定言語の「迎車」と、他言語の「ＯＮ  ＣＡＬＬ」とで切替表示させる。また、図７（ｄ）に示すように、貸切状態である場合、貸切状態であることを示す特定言語の「貸切」と、他言語の「ＣＨＡＲＴＥＲ」とで切替表示させる。また、図７（ｅ）に示すように、予約状態である場合、予約状態であることを示す特定言語の「予約」と、他言語の「ＲＥＳＥＲＶＥＤ」とで切替表示させる。
【００６８】
図８及び図９は、外部操作表示器２０の制御を示すフローチャートであり、図１０は、図８及び図９に示す処理時におけるタクシーメータ１０の表示部１２の表示状態を示す図である。
【００６９】
図８に示すように、まず表示制御部２２ａは、操作表示部２１に初期画像を表示させる（Ｓ１１）。この初期画像は、図４（ａ）に示すように、特定言語、及び特定言語と異なる少なくとも１つの他言語を選択可能な画像である。なお、この初期画像においては、特定言語である日本語が表示されておらず選択不可となっていてもよい。また、ステップＳ１１において、タクシーメータ１０の表示部１２には、図１０（ａ）に示す画像が表示され、ウィンドサイン３０は図７（ａ）に示す状態となっている。
【００７０】
次いで、演算部２２は、いずれかの言語が選択されたかを判断する（Ｓ１２）。選択されていないと判断した場合（Ｓ１２：ＮＯ）、処理はステップＳ１１に移行する。一方、選択されたと判断した場合（Ｓ１２：ＹＥＳ）、演算部２２の言語選択部２２ｂはその言語を選択言語とし、表示制御部２２ａは選択言語初期画像を表示させ、且つ、演算部２２は選択言語にてスピーカ２５から音声出力させる（Ｓ１３）。選択言語初期画像は、図４（ｂ）に示すものであり、選択言語にてリストボタンＢ１も表示されている。また、音声は、選択言語が英語である場合、「Welcome. Which is a destination? 」と出力される。
【００７１】
その後、演算部２２は、リストボタンＢ１が押下されたかを判断する（Ｓ１４）。押下されていないと判断した場合（Ｓ１４：ＮＯ）、処理はステップＳ１３に移行する。押下されたと判断した場合（Ｓ１４：ＹＥＳ）、表示制御部２２ａは、選択言語にて行先候補Ｂ２を表示させ、且つ、演算部２２は選択言語にてスピーカ２５から音声出力する（Ｓ１５）。このとき、表示制御部２２ａは、図４（ｃ）に示すように、行先候補Ｂ２に加えてネクストボタンＢ３についても表示する。また、音声は、選択言語が英語である場合、「Please choose a destination from a list.」と出力される。
【００７２】
次に、演算部２２は、行先候補Ｂ２が指定されたかを判断する（Ｓ１６）。行先候補Ｂ２が指定されていないと判断した場合（Ｓ１６：ＮＯ）、演算部２２は、ネクストボタンＢ３が押下されたかを判断する（Ｓ１７）。押下されていないと判断した場合（Ｓ１７：ＮＯ）、処理はステップＳ１５に移行する。押下されたと判断した場合（Ｓ１７：ＹＥＳ）、表示制御部２２ａは、行先候補Ｂ２について次項内容を表示させ（Ｓ１８）、処理はステップＳ１６に移行する。
【００７３】
行先候補Ｂ２が指定されたと判断した場合（Ｓ１６：ＹＥＳ）、表示制御部２２ａは、選択言語にて確認画像を表示させ、且つ、演算部２２は選択言語にてスピーカ２５から音声出力する（Ｓ１９）。このとき、表示制御部２２ａは、図４（ｄ）に示すように、確認画像内に、指定された行先候補Ｂ２が示す行先までの到着に要すると予測される予測料金及び予測時間を表示させると共に、ＯＫボタンＢ４及びＮＧボタンＢ５についても表示させる。また、音声は、選択言語が英語である場合、一例を挙げると、「The time required is about 20 minutes. A charge is - which is about 760 yen.」と出力される。
【００７４】
その後、演算部２２は、ＮＧボタンＢ５が押下されたかを判断する（Ｓ２０）。ＮＧボタンＢ５が押下されたと判断した場合（Ｓ２０：ＹＥＳ）、処理はステップＳ１５に移行する。一方、ＮＧボタンＢ５が押下されていないと判断した場合（Ｓ２０：ＮＯ）、演算部２２は、ＯＫボタンＢ４が押下されたかを判断する（Ｓ２１）。
【００７５】
ＯＫボタンＢ４が押下されていないと判断した場合（Ｓ２１：ＮＯ）、処理はステップＳ２０に移行する。ＯＫボタンＢ４が押下されたと判断した場合（Ｓ２１：ＹＥＳ）、処理は図９のステップＳ２２に移行する。
【００７６】
図９のステップＳ２２において、伝達情報生成部２２ｃは、指定された行先候補Ｂ２が示す行先を特定言語にてタクシー運転手に伝達するための伝達情報を生成する（Ｓ２２）。具体的に伝達情報生成部２２ｃは、スピーカ２５にて音声出力するための音声情報を生成する。これにより、スピーカ２５から特定言語である日本語で行先の情報が音声出力され（Ｓ２３）、タクシー運転手に行先の情報が伝達されることとなる。加えて、伝達情報生成部２２ｃは、指定された行先候補Ｂ２が示す行先の情報をタクシーメータ１０に送信すべく伝達情報（表示情報及び音声情報）を生成して、送信する（Ｓ２４）。これにより、タクシーメータ１０は、生成された伝達情報を受信して行先の情報を特定言語である日本語にて自己の表示部１２に表示させ、且つスピーカ５０から音声出力させることとなる。
【００７７】
なお、ステップＳ２４において、タクシーメータ１０の表示部１２には、図１０（ｂ）に示す画像が表示されている。すなわち、タクシーメータ１０は、行先の情報を特定言語（日本語）にて表示部１２に表示させることとなる。
【００７８】
次に、演算部２２は、賃走状態を示すシステムデータを受信したかを判断する（Ｓ２５）。賃走状態を示すシステムデータを受信していないと判断した場合（Ｓ２５：ＮＯ）、受信したと判断されるまで、この処理が繰り返される。一方、賃走状態を示すシステムデータを受信したと判断した場合（Ｓ２５：ＹＥＳ）、表示制御部２２ａは、選択言語にて賃走中画像を表示する（Ｓ２６）。このとき、表示制御部２２ａは、選択言語が英語である場合、図５（ａ）に示すようにタクシー情報表示エリア２１ａに「It is under run. The present charge is merely 660 yen.」と表示させる。
【００７９】
なお、ステップＳ２６において、タクシーメータ１０の表示部１２には、図１０（ｃ）に示す画像が表示され、ウィンドサイン３０は図７（ｂ）に示す状態となる。
【００８０】
その後、演算部２２は、爾後上がりを示すシステムデータを受信したかを判断する（Ｓ２７）。爾後上がりを示すシステムデータを受信したと判断した場合（Ｓ２７：ＹＥＳ）、表示制御部２２ａは、選択言語にて賃走中画像を更新する（Ｓ２８）。このとき、表示制御部２２ａは、選択言語が英語である場合、図５（ｂ）に示すようにタクシー情報表示エリア２１ａに「It is under run. The present charge is merely 760 yen.」と表示させる。そして、処理はステップＳ２６に移行する。なお、ステップＳ２８において、タクシーメータ１０の表示部１２には、図１０（ｄ）に示す画像が表示される。
【００８１】
爾後上がりを示すシステムデータを受信していないと判断した場合（Ｓ２７：ＮＯ）、演算部２２は、支払状態を示すシステムデータを受信したかを判断する（Ｓ２９）。支払状態を示すシステムデータを受信していないと判断した場合（Ｓ２９：ＮＯ）、処理はステップＳ２７に移行する。
【００８２】
支払状態を示すシステムデータを受信したと判断した場合（Ｓ２９：ＹＥＳ）、表示制御部２２ａは、選択言語にて支払画像を表示させ、且つ、演算部２２は選択言語にてスピーカ２５から音声出力する（Ｓ３０）。すなわち、表示制御部２２ａは、図５（ｃ）に示すように、選択言語である英語である場合、タクシー情報表示エリア２１ａに例えば「Thank you for the entrainment. A charge is 760 yen.」と表示させる。また、音声は、選択言語が英語である場合、一例を挙げると、「Thank you for the entrainment. A charge is 760 yen.」と出力される。なお、ステップＳ３０において、タクシーメータ１０の表示部１２には、図１０（ｅ）に示す画像が表示される。
【００８３】
その後、演算部２２は、空車状態を示すシステムデータを受信したかを判断する（Ｓ３１）。空車状態を示すシステムデータを受信していないと判断した場合（Ｓ３１：ＮＯ）、受信したと判断されるまで、この処理が繰り返される。空車状態を示すシステムデータを受信したと判断した場合（Ｓ３１：ＹＥＳ）、表示制御部２２ａは、ステップＳ１１にて表示された初期画像を再表示させ（Ｓ３２）、その後、図８及び図９に示す処理は終了する。なお、このとき、タクシーメータ１０の表示部１２には、図１０（ａ）に示す画像が表示され、ウィンドサイン３０は図７（ａ）に示す状態となる。
【００８４】
ここで、迎車時、貸切時、及び予約時において、タクシーメータ１０の表示部１２には、図１０（ｆ）〜図１０（ｈ）に示す画像が表示される。そして、これに対応して、ウィンドサイン３０は、図７（ｃ）〜図７（ｅ）に示す状態となる。よって、図７（ｂ）〜図７（ｅ）に示すように、乗客が乗車できない状態についても他言語にて車外へ表示することとなり、外国人はタクシーを呼び止めても停車してくれない状態を知ることができる。
【００８５】
このようにして、本実施形態に係る外部操作表示器２０によれば、乗客により言語を選択可能であるため、外国人は自己の公用語等を選択することが可能となる。また、選択言語にて複数の行先候補Ｂ２を表示するため、外国人は、行先候補Ｂ２の選択によりタクシー運転者との会話を要することなく、簡易に行先を指定することができる。さらに、指定された行先候補Ｂ２が示す行先を特定言語にてタクシー運転手に伝達するための伝達情報を生成することから、タクシー運転手は特定言語にて行先を知得することができる。よって、これらにより、外国人にとってタクシー運転手に行先を伝える困難性を軽減でき、外国人についてタクシー乗車の抵抗感を軽減することができる。
【００８６】
また、複数の行先候補Ｂ２のいずれか１つが指定された場合、伝達情報の生成に先立って、到着に要すると予測される予測料金及び予測時間の少なくとも一方を選択言語にて表示する。このため、外国人は、到着に多大な料金を必要とするのか、多大な時間を要するのかを知ることができ、多大な場合には、タクシー乗車をあきらめるなどの選択が可能となる。加えて、予測料金を表示する場合には、予め表示される予測料金によって、タクシー運賃の過剰請求による不安感を抑えることができる。従って、一層タクシー乗車の抵抗感を軽減することができる。
【００８７】
また、指定された行先候補Ｂ２が示す行先に到着した場合、到着した旨と支払うべき料金とを選択言語にて表示するため、乗車時だけでなく、降車時においてもタクシー運転者との会話を要することなく、スムーズな降車に寄与することができる。
【００８８】
また、本実施形態に係るタクシーメータシステム１によれば、ウィンドサイン３０は、空車状態であることを示す文字情報を、特定言語と他言語の少なくとも１つとの間で切替表示するため、外国人は、自己の公用語等が他言語として表示されているときに、タクシーが空車状態であることを知ることができる。これにより、より一層タクシー乗車の抵抗感を軽減することができる。タクシーでは迎車などのサービスがあり、外国人にとってはタクシーを呼び止めても停車してくれないという不安感が生じ易い。しかし、上記の空車状態の表示により、このような不安を解消でき、より一層タクシー乗車の抵抗感を軽減することができる。なお、この場合において、特定の乗客予定者を迎えに行く途中であることを示す迎車状態の表示についても、空車状態と同様に切替表示することが好ましい。
【００８９】
また、タクシーメータ１０は伝達情報を受信して行先の情報を特定言語にて自己の表示部１２に表示させるため、タクシー運転手は表示部１２を参照することにより行先の情報を知得でき、タクシーメータの外部操作表示器２０から音声により行先を伝達する場合と比較して、タクシー運転手の外国人の搭乗による緊張状態により行先を聞き逃してしまうなど、行先が不明となってしまう事態を防止することができる。
【００９０】
以上、実施形態に基づき本発明を説明したが、本発明は上記実施形態に限られるものではなく、本発明の趣旨を逸脱しない範囲で、変更を加えてもよい。
【００９１】
例えば、上記実施形態において行先候補Ｂ１を指定した場合、予測料金や予測時間に加えて又は代えて、行先候補Ｂ１が示す行先においてイベント及び競技等の興業が行われている場合には、その興業のスケジュールが表示されるようになっていてもよい。
【００９２】
また、広告表示エリア２１ｃは単に各種広告情報が表示されるのみならず、例えば指定された行先候補Ｂ１が示す行先に応じて広告内容が変化するようになっていてもよい。例えば、行先候補Ｂ１が示す行先においてサッカー競技が行われている場合には、サッカー用品の広告やサッカーの有料放送の広告が表示されるようになっていてもよい。
【００９３】
加えて、行先候補Ｂ１のいずれか１つが指定されて行先の情報がタクシーメータ１０に送信された場合、ナビゲーションシステムの目的地として行先が自動設定されるようになっていてもよい。
【００９４】
さらに、本実施形態に係るタクシーメータシステム１は、タクシーメータ１０と外部操作表示器２０とがそれぞれマイクと備え、マイクに入力された音声を他の言語に変換してスピーカ２５，５０から出力するように構成されていてもよい。これにより、一層タクシー運転手と外国人との会話がスムーズとなるからである。この場合において、詳細にタクシーメータ１０は、言語選択部２２ｂにより他言語が選択された場合、タクシー運転手からマイクに音声入力されると、演算部１３にて選択された他言語に変換してスピーカ５０から音声出力する。また、操作表示器２０は、乗客からマイクに音声入力されると、演算部２２にて特定言語に変換してスピーカ２５から音声出力する。
【符号の説明】
【００９５】
１…タクシーメータシステム
１０…タクシーメータ
１１…操作部
１１ａ…実車ボタン
１１ｂ…合計ボタン
１１ｃ…空車ボタン
１２…表示部
１３…演算部
１４…時間計測部
１５…車両情報格納部
１６…記憶部
１６ａ…プログラム格納部
１６ｂ…地図情報格納部
１７…設定値データ格納部
１８…メモリーカード挿入部
１９…ブザー部
２０…外部操作表示器
２１…操作表示部（操作手段、表示手段）
２１ａ…タクシー情報表示エリア
２１ｂ…地図表示エリア
２１ｃ…広告表示エリア
２２…演算部
２２ａ…表示制御部
２２ｂ…言語選択部（言語選択手段）
２２ｃ…伝達情報生成部（伝達情報生成手段）
２３…コントローラ
２４…メモリ
２５…スピーカ
３０…ウィンドサイン
４０…プリンタ
５０…スピーカ
Ｂ１…リストボタン
Ｂ２…行先候補
Ｂ３…ネクストボタン
Ｂ４…ＯＫボタン
Ｂ５…ＮＧボタン
【図１】
2015087865.tif 000003
【図２】
2015087865.tif 000004
【図３】
2015087865.tif 000005
【図４】
2015087865.tif 000006
【図５】
2015087865.tif 000007
【図６】
2015087865.tif 000008
【図７】
2015087865.tif 000009
【図８】
2015087865.tif 000010
【図９】
2015087865.tif 000011
【図１０】
2015087865.tif 000012